(57)【要約】      （修正有）【課題】フューエルリッドの押上装置に関し、ロッドが短縮したロック位置において、ロッドがケースに対して自由にスライドするのを未然に防止する。【解決手段】ロック手段には、固定側カムを有するカム部、可動側カムを有する回転子７０、スライド溝、スライド突起、係合突起、可動側カムが固定側カムから係脱することで回転子７０が回転することにより、ロック部にはまり込んでいた係合突起がロック部から係脱可能なロック溝を備える。付勢手段には、スプリング９０、下側ロッド部に挿通され、回転子７０とスプリング９０との間に位置するとともに、ロック手段（例えばロック溝と係合突起等）のロック位置においてロッド６０のスライド方向の移動を制限するためのスリーブ８０を備える。【選択図】図１
2011005945.tif 000002
【特許請求の範囲】
【請求項１】
車体に開閉可能に取り付けられたフューエルリッドを、開方向へ押し出すための押上装置であって、
前記押上装置には、
前記車体側に固定される筒形のケースと、
前記ケース内にスライド可能に保持され、当該ケース内から突出して前記フューエルリッドを押し出すロッドと、
前記ケースと前記ロッドとの間に位置し、前記ロッドを前記ケース内から突出する方向に向かって付勢するための付勢手段と、
前記ケースと前記ロッドとの間に位置し、前記付勢手段の付勢力に抗して前記ロッドを前記ケースの後退位置にロックするための前記ロック手段とを備え、
前記ロック手段には、
前記ロッドの軸方向の途中に位置し、半径方向に外向きに突出するとともに、前記ロッドの突出方向の後方の面に形成された固定側カムを有するカム部と、
前記カム部を境して前記突出方向の後方に位置する下側ロッド部に回転可能で、且つ軸方向にスライド可能に支持され、前記カム部の固定側カムにかみ合うともに、前記ロッドのスライドにより係脱し、一方向の回転力を付与するための可動側カムを有する回転子と、
前記カム部の外周面と前記ケースの内周面とのいずれか一方に位置し、前記ロッドのスライド方向に延びるスライド溝と、
前記カム部の外周面と前記ケースの内周面とのいずれか他方に位置し、前記ロッドのスライドにより前記スライド溝内を相対的にスライドすることで、前記ケースに対する前記ロッドの回転を阻止するスライド突起と、
前記回転子の外周面と前記ケースの内周面とのいずれか一方から突出する係合突起と、
前記回転子の外周面と前記ケースの内周面とのいずれか他方に位置し、前記係合突起がはまり込むロック部を有し、前記可動側カムが前記固定側カムから係脱することで前記回転子が回転することにより、前記ロック部にはまり込んでいた前記係合突起が当該ロック部から係脱可能なロック溝とを備え、
前記付勢手段には、
前記下側ロッド部に挿通され、前記ケース内で弾縮され、前記回転子を前記カム部に向かって付勢するためのスプリングと、
前記下側ロッド部に挿通され、前記回転子と前記スプリングとの間に位置するとともに、前記ロック手段のロック位置において前記ロッドのスライド方向の移動を制限するためのスリーブとを備えていることを特徴とする押上装置。
【請求項２】
請求項１に記載の押上装置であって、
前記スリーブには、
前記下側ロッド部に挿通される筒形のスリーブ本体と、
前記回転子と当接する前記スリーブ本体の上端部に位置し、半径方向に外向きに張り出した張出部と、
前記上端部と反対側の前記スリーブ本体の下端部に位置し、半径方向に内向きに突出した縮径部とを備え、
前記下側ロッド部には、
前記縮径部がはまり込む細くなったくびれ部を設け、
前記くびれ部には、
前記回転子の可動側カムが前記カム部の固定側カムにかみ合った第１の高さ位置と、前記固定側カムから係脱する第２の高さ位置との間において昇降する前記回転子の昇降量に応じて、前記縮径部がスライド可能なクリアランスを前記くびれ部の軸方向に設けていることを特徴する押上装置。
【請求項３】
請求項１又は請求項２に記載の押上装置であって、
前記ケースには、
前記カム部を境して前記ロッドの突出方向の前方に位置する上側ロッド部を覆おう伸縮可能なブーツを固定していることを特徴とする押上装置。
【請求項４】
請求項１〜３のいずれか１項に記載の押上装置であって、
前記ケースには、
前記ロッドの突出方向の前方に位置する開口端部に取り付けられるキャップを備え、
前記キャップには、
前記スライド溝及び前記ロック溝を設けていることを特徴する押上装置。
【発明の詳細な説明】
【技術分野】
【０００１】
この発明は、車体に開閉可能に取り付けられたフューエルリッドを開方向へ押し出すための押上装置に関し、ロッドが短縮したロック位置において、当該ロッドがケースに対して自由にスライドするのを未然に防止することができるようにしたものである。
【背景技術】
【０００２】
従来、ロッドにカムを形成し、ケースに対してロッドが１／４回転するごとに、ロック・アンロックの姿勢をとるようにした押上装置が知られている（例えば特許文献１の段落番号「００１９」、図２参照）。
【先行技術文献】
【特許文献】
【０００３】
【特許文献１】特開2007-290573号公報
【発明の概要】
【発明が解決しようとする課題】
【０００４】
しかし、上記した従来の押上装置では、ロック・アンロックの動作中に、カムがフリーになるポイントがあり、摩擦やスプリングのねじり等の要因で誤動作が起きることがあるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、カムがフリーになるポイントを排除し、押上装置の誤動作を未然に防止することができるようにしたものである。
すなわち、請求項１に記載の発明によれば、ロッドのカム部の固定側カムとかみ合う可動側カム部を有する回転子と、この回転子をロッドのカム部に向かって付勢するスプリングとの間に、ロッドに挿通したスリーブを位置させることで、ロック位置においてロッドのスライド方向の移動を制限することができる。このため、請求項１に記載の発明によれば、ロッドがロック位置においてスライド方向に移動して、固定側カムと可動側カム部とが離隔してフリーになるのを未然に防止することができる。
（請求項２）
請求項２に記載の発明は、上記した請求項１に記載の発明の目的に加え、次の点を目的とする。
【０００６】
すなわち、請求項２に記載の発明は、カム作動に必要なクリアランスを確保することができるようにしたものである。
（請求項３）
請求項３に記載の発明は、上記した請求項１又は請求項２に記載の発明の目的に加え、次の点を目的とする。
【０００７】
すなわち、請求項３に記載の発明は、ロッドが短縮したロック状態において、ブーツの反力により、ロッドがケースに対して自由にスライドするのを未然に防止することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、ケースのキャップにスライド溝及びロック溝を設けることで、ケースの構造を簡便にすることができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第１に、例えば図２に示すように、車体（例えばインナーパネル30）に開閉可能に取り付けられたフューエルリッド(20)を開方向へ押し出すための押上装置(10)である。
第２に、押上装置(10)には、例えば図１〜３に示すように、次の構成を備える。
（１）ケース(40)
ケース(40)は、例えば図１〜３に示すように、車体（例えばインナーパネル30）側に固定されるものであり、筒形に形成されている。
【００１１】
（２）ロッド(60)
ロッド(60)は、例えば図１〜３に示すように、ケース(40)内にスライド可能に保持され、当該ケース(40)内から突出してフューエルリッド(20)を押し出すものである。
（３）付勢手段（例えばスプリング90）
付勢手段（例えばスプリング90）は、例えば図１〜３に示すように、ケース(40)とロッド(60)との間に位置し、ロッド(60)をケース(40)内から突出する方向に向かって付勢するためのものである。
【００１２】
（４）ロック手段（例えばロック溝56と係合突起73等）
ロック手段（例えばロック溝56と係合突起73等）は、例えば図６〜８に示すように、ケース(40)とロッド(60)との間に位置し、付勢手段（例えばスプリング90）の付勢力に抗してロッド(60)をケース(40)の後退位置にロックするためのものである。
第３に、ロック手段には、例えば図１〜８に示すように、次の構成を備える。
【００１３】
（５）カム部(61)
カム部(61)は、例えば図１５及び図１６に示すように、ロッド(60)の軸方向の途中に位置し、半径方向に外向きに突出するとともに、ロッド(60)の突出方向の後方の面に形成された固定側カム(64)を有するものである。
（６）回転子(70)
回転子(70)は、例えば図４及び図１９に示すように、カム部(61)を境して突出方向の後方に位置する下側ロッド部(63)に回転可能で、且つ軸方向にスライド可能に支持され、カム部(61)の固定側カム(64)にかみ合うともに、ロッド(60)のスライドにより係脱し、一方向の回転力を付与するための可動側カム(72)を有するものである。
【００１４】
（７）スライド溝(55)
スライド溝(55)は、例えば図１３及び図１４に示すように、カム部(61)の外周面とケース(40)の内周面とのいずれか一方に位置し、ロッド(60)のスライド方向に延びるものである。
（８）スライド突起(65)
スライド突起(65)は、例えば図１５及び図１６に示すように、カム部(61)の外周面とケース(40)の内周面とのいずれか他方に位置し、ロッド(60)のスライドによりスライド溝(55)内を相対的にスライドすることで、ケース(40)に対するロッド(60)の回転を阻止するものである。
【００１５】
（９）係合突起(73)
係合突起(73)は、例えば図１８に示すように、回転子(70)の外周面とケース(40)の内周面とのいずれか一方から突出するものである。
（１０）ロック溝(56)
ロック溝(56)は、例えば図１４に示すように、回転子(70)の外周面とケース(40)の内周面とのいずれか他方に位置し、係合突起(73)がはまり込むロック部(56b)を有し、可動側カム(72)が固定側カム(64)から係脱することで回転子(70)が回転することにより、ロック部(56b)にはまり込んでいた係合突起(73)が当該ロック部(56b)から係脱可能なものである。
【００１６】
第４に、付勢手段には、例えば図１及び図３に示すように、次の構成を備える。
（１１）スプリング(90)
スプリング(90)は、例えば図１及び図３に示すように、下側ロッド部(63)に挿通され、ケース(40)内で弾縮され、回転子(70)をカム部(61)に向かって付勢するためのものである。
【００１７】
（１２）スリーブ(80)
スリーブ(80)は、例えば図１及び図３に示すように、下側ロッド部(63)に挿通され、回転子(70)とスプリング(90)との間に位置するとともに、ロック手段（例えばロック溝56と係合突起73等）のロック位置においてロッド(60)のスライド方向の移動を制限するためのものである。
（請求項２）
請求項２に記載の発明は、上記した請求項１に記載の発明の特徴点に加え、次の点を特徴とする。
【００１８】
第１に、スリーブ(80)には、例えば図１及び図２１に示すように、次の構成を備える。
（１）スリーブ本体(81)
スリーブ本体(81)は、例えば図５及び図２１に示すように、下側ロッド部(63)に挿通されるものであり、筒形に形成されている。
（２）張出部(82)
張出部(82)は、例えば図２１に示すように、回転子(70)と当接するスリーブ本体(81)の上端部に位置し、半径方向に外向きに張り出したものである。
【００１９】
（３）縮径部(83)
縮径部(83)は、例えば図２１に示すように、上端部と反対側のスリーブ本体(81)の下端部に位置し、半径方向に内向きに突出したものである。
第２に、下側ロッド部(63)には、例えば図５及び図１５に示すように、縮径部(83)がはまり込む細くなったくびれ部(66)を設けている。
【００２０】
第３に、くびれ部(66)には、例えば図１に示すように、回転子(70)の可動側カム(72)がカム部(61)の固定側カム(64)にかみ合った第１の高さ位置と、固定側カム(64)から係脱する第２の高さ位置との間において昇降する回転子(70)の昇降量に応じて、縮径部(83)がスライド可能なクリアランス(C)をくびれ部(66)の軸方向に設けている。
（請求項３）
請求項３に記載の発明は、上記した請求項１又は請求項２に記載の発明の特徴点に加え、次の点を特徴とする。
【００２１】
すなわち、ケース(40)には、例えば図１〜３に示すように、カム部(61)を境してロッド(60)の突出方向の前方に位置する上側ロッド(60)部を覆おう伸縮可能なブーツを固定している。
（請求項４）
請求項４に記載の発明は、上記した請求項１〜３のいずれか１項に記載の発明の特徴点に加え、次の点を特徴とする。
【００２２】
第１に、ケース(40)には、例えば図１及び図３に示すように、次の構成を備える。
（１）キャップ(50)
キャップ(50)は、例えば図１〜３に示すように、ロッド(60)の突出方向の前方に位置する開口端部に取り付けられるものである。
第２に、キャップ(50)には、例えば図１４に示すように、スライド溝(55)及びロック溝(56)を設けている。
【発明の効果】
【００２３】
本発明は、以上のように構成されているので、以下に記載されるような効果を奏する。
（請求項１）
請求項１に記載の発明によれば、次のような効果を奏する。
すなわち、請求項１に記載の発明によれば、カムがフリーになるポイントを排除し、押上装置の誤動作を未然に防止することができる。
【００２４】
すなわち、請求項１に記載の発明によれば、ロッドのカム部の固定側カムとかみ合う可動側カム部を有する回転子と、この回転子をロッドのカム部に向かって付勢するスプリングとの間に、ロッドに挿通したスリーブを位置させることで、ロック位置においてロッドのスライド方向の移動を制限することができる。このため、請求項１に記載の発明によれば、ロッドがロック位置においてスライド方向に移動して、固定側カムと可動側カム部とが離隔してフリーになるのを未然に防止することができる。
（請求項２）
請求項２に記載の発明によれば、上記した請求項１に記載の発明の効果に加え、次のような効果を奏する。
【００２５】
すなわち、請求項２に記載の発明によれば、カム作動に必要なクリアランスを確保することができる。
（請求項３）
請求項３に記載の発明によれば、上記した請求項１又は請求項２に記載の発明の効果に加え、次のような効果を奏する。
【００２６】
すなわち、請求項３に記載の発明によれば、ロッドが短縮したロック状態において、ブーツの反力により、ロッドがケースに対して自由にスライドするのを未然に防止することができる。
（請求項４）
請求項４に記載の発明は、上記した請求項１〜３のいずれか１項に記載の発明の効果に加え、次のような効果を奏する。
【００２７】
すなわち、請求項４に記載の発明は、ケースのキャップにスライド溝及びロック溝を設けることで、ケースの構造を簡便にすることができる。
【図面の簡単な説明】
【００２８】
【図１】押上装置の断面図である。
【図２】押上装置の取付状態を説明するための概略断面図である。
【図３】押上装置の分解斜視図である。
【図４】ロッドと回転子とを組み付けた斜視図である。
【図５】ロッド、回転子及びスリーブを組み付けた斜視図である。
【図６】ロック手段の動作を説明するための説明図である。
【図７】図６に対応し、ロッドを押し込んだ状態の説明図である。
【図８】図６に対応し、ロック手段のロック状態の説明図である。
【図９】ケースの側面図である。
【図１０】図９のＡ−Ａ線に沿う断面図である。
【図１１】キャップの側面図である。
【図１２】キャップの他の側面から見、一部を断面にした側面図である。
【図１３】キャップの底面図である。
【図１４】図１２のＢ−Ｂ線に沿う断面図である。
【図１５】ロッドの側面図である。
【図１６】ロッドの底面図である。
【図１７】回転子の側面図である。
【図１８】回転子の平面図である。
【図１９】回転子の断面図である。
【図２０】スリーブの側面図である。
【図２１】スリーブの断面図である。
【発明を実施するための形態】
【００２９】
（押上装置10）
図１〜３中、10は、押上装置を示すものであり、車体に開閉可能に取り付けられたフューエルリッド20を、開方向へ押し出すためのものである。
具体的には、フューエルリッド20は、図２に示すように、インナーパネル30にヒンジ（図示せず）を介して開閉可能に取り付けられている。インナーパネル30には、表裏面に貫通する方形の取付孔31が設けられ、当該取付孔31に押上装置10が固定される。
【００３０】
押上装置10は、図３に示すように、大別すると、次のパーツを備える。
なお、次の（１）〜（７）については、後述する。
（１）ケース40
（２）キャップ50
（３）ロッド60
（４）回転子70
（５）スリーブ80
（６）スプリング90
（７）ブーツ100
なお、押上装置10のパーツは、上記した（１）〜（７）に限定されない。
（ケース40）
ケース40は、図２に示すように、車体側に固定されるものであり、円筒形に形成されている。
【００３１】
具体的には、ケース40は、図９及び図１０に示すように、上面が開口した円筒形に形成され、底面が塞がれている。ケース40の外形は、インナーパネル30の取付孔31の内径以下に設定されている。
ケース40には、その開口上部に半径方向の外向きに張り出すフランジ部41を設けている。
【００３２】
フランジ部41の上側には、後述するブーツ100を取り付ける環状の取付凹部42を設けている。
また、フランジ部41の下側には、ケース40の外周から放射状に複数個、例えば３個、弾性的に突出する弾性爪43を設けている。弾性爪43は、インナーパネル30の板厚の間隔を保って、フランジ部41の下面から離れて位置する。
【００３３】
ケース40を、図２に示すように、取付孔31に合わせてはめ込むと、弾性爪43が一旦、引っ込み、インナーパネル30の裏面側で弾性的に復帰し、フランジ部41の下面との間でインナーパネル30を挟み持つことで、取付孔31にケース40が固定される。
（キャップ50）
キャップ50は、図１に示すように、ケース40の開口上面に取り付けられ、当該開口上面を塞ぐものである。
【００３４】
具体的には、キャップ50には、図１１〜１４に示すように、大別すると、ケース40の開口上面より一回り大きい蓋部51と、当該蓋部51の下面から一段細くなって円筒形に延びる円筒部52とを備える。
蓋部51には、図１３及び図１４に示すように、上下に貫通した円形の貫通孔53を設けている。貫通孔53には、後述するロッド60が挿通される。
【００３５】
円筒部52は、図１に示すように、その外周をケース40の内径以下に設定し、ケース40内に挿入されている。
円筒部52の外周には、図１１〜１３に示すように、放射状に複数個、例えば３個、弾性的に突出する係止爪54を設けている。これに対し、ケース40の取付凹部42には、図９及び図１０に示すように、係止爪54がはまり込む内外に貫通する係止孔44を設けている。
【００３６】
円筒部52を、図１に示すように、ケース40の開口上面に合わせてはめ込むと、係止爪54が一旦、引っ込み、その後、係止孔44に弾性的にはまり込むことで、ケース40にキャップ50が固定される。
一方、円筒部52の内周面には、図１３及び図１４に示すように、円筒部52の内周面に凹設されたスライド溝55を設けている。スライド溝55は、ロッド60をスライド可能で、且つ回転不能に保持するためのものである。
【００３７】
具体的には、スライド溝55は、図１３及び図１４に示すように、放射状に複数個、例えば３個設けられ、上端部が行き止まり、下端部が開放している。
また、スライド溝55の下側には、図１３及び図１４に示すように、円筒部52の内周面に凹設されたロック溝56を設けている。ロック溝56は、後述する回転子70を回転不能にロックするためのものである。
【００３８】
具体的には、ロック溝56は、図１３及び図１４に示すように、隣接したスライド溝55の間隔内に形成され、円筒部52の内周面の周方向に沿って鋸歯状に形成されている。
すなわち、ロック溝56は、図６〜８及び図１４に示すように、１個のスライド溝55を基準として、当該スライド溝55から後述する回転子70の回転方向（図６〜８中、矢印Ｘ）の前方に向かい、上方に向かって上り傾斜した第１斜面部56aと、当該第１斜面部56aの傾斜上端部、すなわち回転子70の回転方向の前方に位置し、後述する回転子70の係合突起73がはまり込むロック部56bと、当該ロック部56bから下方に向かって切り立った垂直部56cと、当該垂直部56cの下端部から上方に向かって上り傾斜し、傾斜上端部が回転子70の回転方向の前方に位置する他の１個のスライド溝55に臨む第２斜面部56dとを備える。
【００３９】
第１斜面部56aの傾斜下端部、すなわち回転子70の回転方向の後方は、１個のスライド溝55に臨んでいる。また、第１斜面部56aと第２斜面部56dとの傾斜角度は、一致させている。
（ロッド60）
ロッド60は、図１及び図２に示すように、ケース40内にスライド可能に保持され、当該ケース40内から突出してフューエルリッド20を押し出すものである。
【００４０】
具体的には、ロッド60は、図１５及び図１６に示すように、円柱形に形成され、大別すると、軸方向の途中に位置し、半径方向に外向きに突出するカム部61と、カム部61の上側に位置し、ケース40内から突出してフューエルリッド20を押し出す上側ロッド部62と、カム部61の下側に位置し、後述するスプリング90が挿通される下側ロッド部63とを備える。
カム部61の下面には、図１５及び図１６に示すように、後述する回転子70の可動側カム面72とかみ合う固定側カム64が形成されている。固定側カム64は、カム部61の下面の円周方向に沿って連続的に形成され、鈍角波歯状に形成されている。
【００４１】
カム部61の外周には、図１５及び図１６に示すように、放射状に複数個、例えば３個突出するスライド突起65が形成されている。スライド突起65は、図１に示すように、キャップ50のスライド溝55にはまり合い、当該スライド溝55に沿って昇降することで、ロッド60はキャップ50内にスライド可能で、且つ回転不能に保持される。
上側ロッド部62の上端部には、後述するブーツ100を取り付ける環状の環状溝66を設けている。
【００４２】
下側ロッド部63の下端部には、図５及び図１５に示すように、後述するスリーブ80の縮径部83がはまり込む細くなったくびれ部67を設けている。
具体的には、くびれ部67の高さは、図１に示すように、縮径部83の上下方向の肉厚より高く設定されている。このため、くびれ部67に、縮径部83がはまり込んだ状態で、くびれ部67の高さ方向にクリアランスＣが発生する。縮径部83は、くびれ部67のクリアランスＣ分だけ上下に昇降可能となる。
【００４３】
クリアランスＣの量は、後述する回転子70の可動側カム72がカム部61の固定側カム64にかみ合った第１の高さ位置と、固定側カム64から係脱する第２の高さ位置との間において昇降する回転子70の昇降量に応じて設定されている。本実施の形態では、例えば「0.4mm」に設定されているが、当該数値には限定されない。
（回転子70）
回転子70は、図４に示すように、下側ロッド部63に回転可能で、且つ軸方向にスライド可能に支持されるものである。
【００４４】
具体的には、回転子70は、図１７〜１９に示すように、ドーナツ形に形成され、中心に上下に貫通し、下側ロッド部63に挿通される中心孔71と、上面に形成され、カム部61の固定側カム64にかみ合うともに、ロッド60のスライドにより係脱し、一方向の回転力を付与するための可動側カム72とを備える。
可動側カム72は、固定側カム64と相補的な形状を成し、回転子70の上面の円周方向に沿って連続的に形成され、鈍角波歯状に形成されている。
【００４５】
可動側カム72の外周には、図１７〜１９に示すように、放射状に複数個、例えば３個突出する係合突起73が形成されている。
係合突起73は、図８に示すように、キャップ50のロック溝56のロック部56bにはまり込むものであり、上面に斜面を有する平面台形形に形成されている。台形形の斜面は、ロック溝56の第１、第２斜面部56a,56dの傾斜角度に一致させている。
【００４６】
また、係合突起73の左右方向の横幅は、図６に示すように、キャップ50のスライド溝55の左右の溝幅以下に設定し、スライド溝55をスライド可能としている。
一方、係合突起73は、キャップ50のロック溝56とともに、ロック手段を構成する。ロック手段は、図６〜８に示すように、ケース40とロッド60との間に位置し、スプリング90（付勢手段）の付勢力に抗してロッド60をケース40の後退位置にロックするためのものである。なお、ロック手段を、係合突起73とロック溝56とから構成したが、これに限定されず、本実施の形態ではロッド60のカム部61及びスライド突起65、キャップ50のスライド溝55等もロック手段の一構成要素として機能している。
（スリーブ80）
スリーブ80は、図５に示すように、下側ロッド部63に挿通され、回転子70と後述するスプリング90との間に位置するとともに、ロッド60が短縮したロック位置において当該ロッド60のスライド方向の移動を制限、すなわち固定側カム64と可動側カム72とがかみ合った状態において、固定側カム64と可動側カム72とが離隔する方向、すなわち上下方向にロッド60がガタ付くのを防止するためのものである。
【００４７】
具体的には、スリーブ80は、図２０及び図２１に示すように、次の各部を備える。
（１）スリーブ本体81
スリーブ本体81は、図５及び図２１に示すように、下側ロッド部63に挿通されるものであり、筒形に形成されている。
（２）張出部82
張出部82は、図２０及び図２１に示すように、回転子70と当接するスリーブ本体81の上端部に位置し、半径方向に外向きに環状に張り出したものである。
【００４８】
（３）縮径部83
縮径部83は、図２１に示すように、上端部と反対側のスリーブ本体81の下端部に位置し、半径方向に内向きに環状に突出したものである。
（４）スリット84
スリット84は、図２０及び図２１に示すように、スリーブ本体81の下端部を複数、例えば二つ割りに切り割るためである。
【００４９】
具体的には、スリット84は、スリーブ本体81の直径方向に一対形成され、スリーブ本体81の下側の端面から上方に向かって途中まで形成されている。
なお、スリット84を、例えば一対形成したが、３個以上形成しても良い。
（スプリング90）
スプリング90は、図１に示すように、ケース40とロッド60との間に位置し、ロッド60をケース40内から突出する方向に向かって付勢するためのものであり、付勢手段と機能する。
【００５０】
具体的には、スプリング90は、図１に示すように、ロッド60の下側ロッド部63に回転子70及びスリーブ80を挿通した状態で、当該スリーブ80に挿通される。スプリング90は、スリーブ80の張出部82とケース40の底との間で圧縮される。
（ブーツ100）
ブーツ100は、図１〜３に示すように、ケース40から突出する上側ロッド部62を覆おう伸縮可能なものであり、ケース40のフランジ部41に取り付けられる。
【００５１】
具体的には、ブーツ100は、図１〜３に示すように、下面が開口した中空の蛇腹状に形成され、上端部が袋状に閉じている。
ブーツ100の上端部の内周面には、図１に示すように、半径方向に内向きに環状に突出した環状突起101を設けている。環状突起101は、ロッド60の環状溝66にはまり込む。
ブーツ100の開口下面の内周面には、半径方向に内向きに環状に突出した環状凸部102を設けている。環状凸部102は、ケース40のフランジ部41の環状凹部42にはめ込まれ、ブーツ100がケース40に対して固定される。
（押上装置10の動作）
つぎに、上記した構成を備える押上装置10の動作について説明する。
【００５２】
押上装置10は、図１に示すように、組み立てた状態で、そのケース40を、図２に示すように、取付孔31に合わせてはめ込むことでインナーパネル30に固定される。
フューエルリッド20が閉じた状態では、図２に示すように、押上装置10はロッド60が短縮したロック状態にロックされている（図８参照）。
フューエルリッド20を押し込むと、ロッド60がケース40内に押し込まれ、前記ロック状態が解除され、スプリング90の圧縮復元力により、ロッド60がケース40内から突出し、フューエルリッド20を押し開く。
【００５３】
このため、押し開かれたフューエルリッド20を手で容易に開くことができる。
一方、開いたフューエルリッド20を手で閉じると、ロッド60がケース40に向かって押し込まれ、短縮したロック状態にロックされる。
（ロック手段の動作）
ロック手段の動作について説明する。
【００５４】
ロッド60が短縮したロック状態では、図８に示すように、回転子70の係合突起73が、キャップ50のロック溝56とが係合し、ロック部56bにはまり込んでいる。
ロッド60がケース40内に押し込まれると、図示しないが、ロッド60のカム部61に押されて回転子70が下降する。
このため、回転子70の係合突起73が、図示しないが、キャップ50のロック部56bから係脱する。
【００５５】
このとき、ロッド60のカム部61の固定側カム64と、回転子70の可動側カム72とのかみ合いが係脱し、図８の矢印Ｘの方向に、回転子70が回転する。
ついで、ロッド60を押し込む力が解放されると、回転子70が、スプリング90の圧縮復元力により押し上げられる。
このとき、回転子70の係合突起73が、図示しないが、キャップ50の第２斜面部56dに当接する。このため、係合突起73は、第２斜面部56dに摺接しながら上昇し、第２斜面部56dの斜面上端部からスライド溝55にはまり込む（図６参照）。
【００５６】
スライド溝55にはまり込むと、図６に示すように、係合突起73はスライド溝55に沿って上昇可能となる。
このため、スプリング90の圧縮復元力により、回転子70を介してロッド60のカム部61が押し上げられ、ロッド60がケース40から突出して伸張する。
一方、伸張したロッド60がケース40内に押し込まれると、図示しないが、回転子70の係合突起73が、スライド溝55に沿って下降する。
【００５７】
ついで、係合突起73がスライド溝55の開口下端から抜け出ると、回転子70の回転が可能となる。
このため、固定側カム64と可動側カム72とのかみ合いの係脱により、図６及び図７の矢印Ｘの方向に、回転子70が回転し、スライド溝55の下側からロック溝56の第１斜面部56aに向かって移動する。
【００５８】
ついで、ロッド60を押し込む力が解放されると、回転子70が、スプリング90の圧縮復元力により押し上げられ、このとき、係合突起73が第１斜面部56aに当接する。このため、係合突起73は、第１斜面部56aに摺接しながら上昇し、ロック部56bにはまり込み、再度、ロック状態に復帰する。
【符号の説明】
【００５９】
10  押上装置                  20  フューエルリッド
30  インナーパネル            31  取付孔
40  ケース
41  フランジ部                42  環状凹部
43  弾性爪                    44  係止孔
50  キャップ
51  蓋部                      52  円筒部
53  貫通孔                    54  係止爪
55  スライド溝                56  ロック溝
56a  第１斜面部               56b  ロック部
56c  垂直部                   56d  第２斜面部
60  ロッド
61  カム部                    62  上側ロッド部
63  下側ロッド部              64  固定側カム
65  スライド突起              66  環状溝
67  くびれ部                  Ｃ  クリアランス
70  回転子
71  中心孔                    72  可動側カム
73  係合突起
80  スリーブ
81  スリーブ本体              82  張出部
83  縮径部                    84  スリット
90  スプリング               100  ブーツ
101  環状突起                 102  環状凸部
【図１】
2011005945.tif 000003
【図２】
2011005945.tif 000004
【図３】
2011005945.tif 000005
【図４】
2011005945.tif 000006
【図５】
2011005945.tif 000007
【図６】
2011005945.tif 000008
【図７】
2011005945.tif 000009
【図８】
2011005945.tif 000010
【図９】
2011005945.tif 000011
【図１０】
2011005945.tif 000012
【図１１】
2011005945.tif 000013
【図１２】
2011005945.tif 000014
【図１３】
2011005945.tif 000015
【図１４】
2011005945.tif 000016
【図１５】
2011005945.tif 000017
【図１６】
2011005945.tif 000018
【図１７】
2011005945.tif 000019
【図１８】
2011005945.tif 000020
【図１９】
2011005945.tif 000021
【図２０】
2011005945.tif 000022
【図２１】
2011005945.tif 000023